(57)【要約】【課題】液体金属ナトリウム冷却型高速炉の原子炉容器の上端開口を閉塞するしゃへいプラグに設けられた貫通孔内に付着したナトリウムの除去作業を効率よく行う。【解決手段】貫通孔内ナトリウム除去装置１０は、液体金属ナトリウム冷却型高速炉の原子炉容器の上端開口を閉塞するしゃへいプラグ１に設けられた貫通孔２内に付着したナトリウム５を除去するための貫通孔内ナトリウム除去装置１０において、貫通孔２の上部に設けられた床ドアバルブ上に設置される収納容器１１と、収納容器１１を軸方向に挿通し気密に設置された案内管１３と、案内管１３の下部に着脱自在に連結したナトリウム除去部１２と、案内管１３の上端に連結した操作部１４と、案内管１３内を挿通しリンク機構を介してナトリウム除去部１２及び操作部１４を連結する操作軸と、操作部１４の上部に一端が取り付けられ他端が揚重機に連結される吊り具１８と、操作部１４の下部に設けられ貫通孔２内を観察する内視鏡と、を有する。【選択図】図１
2008196864.tif 000002
【特許請求の範囲】
【請求項１】
液体金属ナトリウム冷却型高速炉の原子炉容器の上端開口を閉塞するしゃへいプラグに設けられた貫通孔内に付着したナトリウムを除去する貫通孔内ナトリウム除去装置において、
前記貫通孔の上部に設けられた床ドアバルブ上に設置される収納容器と、
この収納容器を軸方向に挿通し気密に設置される案内管と、
この案内管の下部に着脱自在に連結され前記ナトリウムを加熱するヒータ及びこの加熱した温度を監視する熱電対を含む洗浄アタッチメントを有するナトリウム除去部と、
前記案内管の上端に設置された操作部と、
前記案内管内を挿通しリンク機構を介して前記ナトリウム除去部及び前記操作部を連結する操作軸と、
前記操作部の上部に一端が取り付けられ他端が揚重機に連結される吊り具と、
前記操作軸の下部に設けられ前記貫通孔内を観察する内視鏡と、
を備えることを特徴とする貫通孔内ナトリウム除去装置。
【請求項２】
前記洗浄アタッチメントは、前記貫通孔の内側面に対面する洗浄面に横スリット、縦スリット及びメッシュの少なくとも１種を設けること、を特徴とする請求項１記載の貫通孔内ナトリウム除去装置。
【請求項３】
前記洗浄アタッチメントは、前記操作軸を上下駆動することにより前記リンク機構を介して前記貫通孔の径方向に出し入れすること、を特徴とする請求項１又は２記載の貫通孔内ナトリウム除去装置。
【請求項４】
前記洗浄アタッチメントは、前記操作軸に交換自在に取り付けられていること、を特徴とする請求項１乃至３のいずれかに記載の貫通孔内ナトリウム除去装置。
【請求項５】
前記ナトリウム除去部は、前記洗浄アタッチメントの上部にアルゴンガスを噴射するアルゴンガス噴射ノズルを具備すること、を特徴とする請求項１乃至４のいずれかに記載の貫通孔内ナトリウム除去装置。
【請求項６】
前記内視鏡は、前記操作軸内に気密性を保持して挿通され、前記操作部において着脱自在に接続されたモニター装置と、前記操作部において着脱自在に接続された光源装置と、を具備することを特徴とする請求項１乃至５のいずれかに記載のナトリウム除去装置。
【請求項７】
前記内視鏡は、前記操作軸の下端部に設けられ下方向を観察する直視型レンズと、前記操作軸の下部側面に設けられ側面方向を観察する側視型レンズと、を具備することを特徴とする請求項１乃至６のいずれかに記載の貫通孔内ナトリウム除去装置。
【請求項８】
液体金属ナトリウム冷却型高速炉の原子炉容器の上端開口を閉塞するしゃへいプラグに設けられた貫通孔内に付着したナトリウムを貫通孔内ナトリウム除去装置を用いて除去する貫通孔内ナトリウム除去方法において、
前記貫通孔内ナトリウム除去装置の収納容器を前記貫通孔の床ドアバルブの上部に設置するステップと、
前記貫通孔内ナトリウム除去装置のナトリウム除去部が前記収納容器の内部に挿通された後に収納容器の内部をガス置換するステップと、
前記床ドアバルブを開放した後に前記貫通孔内において前記ナトリウム除去部を気密性を保持できる気密面まで移動し位置決めするステップと、
前記洗浄アタッチメントを熱電対により温度監視しながらヒータで加熱するステップと、
前記操作部の調整ハンドルを回転することによって前記洗浄アタッチメントを前記貫通孔の径方向に出し入れさせ前記貫通孔の内側面に前記洗浄アタッチメント接触させるステップと、
前記ナトリウム除去装置全体を上下駆動させることにより、前記貫通孔の内側面に付着したナトリウムを除去清掃するステップと、
前記操作部の回転ハンドルによって前記ナトリウム除去部を回転駆動させ前記貫通孔の内側面に付着したナトリウムを除去清掃するステップと、
前記内視鏡により前記貫通孔の内部を観察するステップと、
を有することを特徴とする貫通孔内ナトリウム除去方法。
【発明の詳細な説明】
【技術分野】
【０００１】
本発明は、液体金属ナトリウム冷却型高速炉（ＬＭＦＢＲ：Ｌｉｑｕｉｄ  Ｍｅｔａｌ  Ｆａｓｔ  Ｂｒｅｅｄｅｒ  Ｒｅａｃｔｏｒ））の原子炉容器のしゃへいプラグに設けられた貫通孔内に付着したナトリウムを除去するためのナトリウム除去装置に関する。
【背景技術】
【０００２】
液体金属ナトリウム冷却型高速炉（ＬＭＦＢＲ）は、原子炉容器内に炉心からの熱を取り出すための冷却材として液体ナトリウムを使用し、原子炉容器の上端開口を閉塞するしゃへいプラグ及び液体ナトリウムとの間にカバーガス空間を有している。
【０００３】
このしゃへいプラグは、固定プラグ及び回転プラグから構成されている。固定プラグには、機器貫通孔が設けられている。炉心内の燃料交換時又はメンテナンス時には、この機器貫通孔を経由して機器が脱着自在に搭載され、機器の交換が可能なように構成されている。一方、回転プラグには炉心上部機構が搭載されており、この炉心上部機構には制御棒駆動機構の種類の異なった複数の貫通孔が設けられ、制御棒駆動機構が着脱自在に搭載されている。
【０００４】
これらの貫通孔は、原子炉運転中にカバーガス中のナトリウムミストが付着して機器を固着したり、また燃料交換時やメンテナンス時の機器交換時、制御棒駆動機構の交換時には、取扱対象機器の接液部からの滴下ナトリウムが付着して機器の据付性能を阻害する可能性がある。
【０００５】
この付着ナトリウムは、原子炉内の運転温度履歴、酸素濃度等の条件により、パウダー状に付着する場合、酸化ナトリウムとなって固く固着する場合、グリース状に粘度を保持して付着する場合等の種々のケースがある。
【０００６】
このために、専用のナトリウム除去装置を用いて機械的に削除したり、ウエス等により拭き取る手段が採用されていることが知られている（例えば、特許文献１参照）。
【特許文献１】実公平１−１２２３９号公報
【発明の開示】
【発明が解決しようとする課題】
【０００７】
液体金属ナトリウム冷却型高速炉（ＬＭＦＢＲ）は、原子炉容器の上端開口を閉塞するしゃへいプラグ及び液体ナトリウムとの間にカバーガス空間を有している。このしゃへいプラグは、固定プラグ及び回転プラグから構成され、機器貫通孔が設けられている。
【０００８】
この貫通孔は、原子炉運転中にカバーガス中のナトリウムミストが付着して機器を固着したり、また、燃料交換時やメンテナンス時の機器交換時、制御棒駆動機構の交換時には、取扱対象機器の接液部からの滴下ナトリウムが付着して機器の据付性能を阻害する可能性がある。このために、専用のナトリウム除去装置を用いて機械的に削除したり、ウエス等により拭き取る手段が採用されている。
【０００９】
しかしながら、従来のナトリウム除去装置はバイト等により機械的に削除したり、ウエス等を用いて拭き取って付着ナトリウムを除去するものなので、次のような三つの課題がある。
【００１０】
一つ目は、機器貫通孔に付着したナトリウムは、上述のようにパウダー状に付着する場合、酸化ナトリウムとなって固く固着する場合、グリース状に粘度を保って付着する場合等の種々の性状を示している。ウエス等により拭き取る場合は、パウダー状に付着したナトリウム以外は除去できない。また、バイト等により機械的に削り落として除去する場合は、貫通孔面にバイトの押し付け力を加えた状態で、バイトを回転運動又は上下駆動させるために、この貫通孔面をバイトで損傷し、気密性、耐圧維持機能を喪失する恐れがある、という課題がある。
【００１１】
二つ目は、付着ナトリウムの除去対象箇所が、複雑な寸法形状を有する場合又は制御棒駆動機構のように異なった寸法形状の貫通孔が複数あるような場合には、何種類かのナトリウム除去装置を準備するか、又は対象箇所に対応させた除去部を数多く準備して、ナトリウム除去装置全体又は除去部を複数回交換しながら清掃作業を行う必要がある、という課題がある。
【００１２】
三つ目は、同じ機器貫通孔内であっても、場所によって付着ナトリウムの性状が上述のように様々な異なる性状を示す。この性状の相違する付着ナトリウムを除去することが、非常に困難である、という課題がある。
【００１３】
本発明は上記課題を解決するためになされたもので、液体金属ナトリウム冷却型高速炉の原子炉容器の上端開口を閉塞するしゃへいプラグ等に設けられた貫通孔内に付着したナトリウムを気密面を損傷することなく、付着ナトリウムの性状に関係なく、ナトリウムの除去作業を効率よく行うことができる貫通孔内ナトリウム除去装置及びその方法を提供することを目的とする。
【課題を解決するための手段】
【００１４】
上記目的を達成するため、本発明は、液体金属ナトリウム冷却型高速炉の原子炉容器の上端開口を閉塞するしゃへいプラグに設けられた貫通孔内に付着したナトリウムを除去する貫通孔内ナトリウム除去装置において、前記貫通孔の上部に設けられた床ドアバルブ上に設置される収納容器と、この収納容器を軸方向に挿通し気密に設置される案内管と、この案内管の下部に着脱自在に連結され前記ナトリウムを加熱するヒータ及びこの加熱した温度を監視する熱電対を含む洗浄アタッチメントを有するナトリウム除去部と、前記案内管の上端に設置された操作部と、前記案内管内を挿通しリンク機構を介して前記ナトリウム除去部及び前記操作部を連結する操作軸と、前記操作部の上部に一端が取り付けられ他端が揚重機に連結される吊り具と、前記操作軸の下部に設けられ前記貫通孔内を観察する内視鏡と、を備えることを特徴とするものである。
【００１５】
また、上記目的を達成するため、本発明は、液体金属ナトリウム冷却型高速炉の原子炉容器の上端開口を閉塞するしゃへいプラグに設けられた貫通孔内に付着したナトリウムを貫通孔内ナトリウム除去装置を用いて除去する貫通孔内ナトリウム除去方法において、前記貫通孔内ナトリウム除去装置の収納容器を前記貫通孔の床ドアバルブの上部に設置するステップと、前記貫通孔内ナトリウム除去装置のナトリウム除去部が前記収納容器の内部に挿通された後に収納容器の内部をガス置換するステップと、前記床ドアバルブを開放した後に前記貫通孔内において前記ナトリウム除去部を気密性を保持できる気密面まで移動し位置決めするステップと、前記洗浄アタッチメントを熱電対により温度監視しながらヒータで加熱するステップと、前記操作部の調整ハンドルを回転することによって前記洗浄アタッチメントを前記貫通孔の径方向に出し入れさせ前記貫通孔の内側面に前記洗浄アタッチメント接触させるステップと、前記ナトリウム除去装置全体を上下駆動させることにより、前記貫通孔の内側面に付着したナトリウムを除去清掃するステップと、前記操作部の回転ハンドルよって前記ナトリウム除去部を回転駆動させ前記貫通孔の内側面に付着したナトリウムを除去清掃するステップと、前記内視鏡により前記貫通孔の内部を観察するステップと、を有することを特徴とするものである。
【発明の効果】
【００１６】
本発明の貫通孔内ナトリウム除去装置及びその方法によれば、ナトリウム除去部の洗浄アタッチメントに設けられたヒータにより加熱することにより、しゃへいプラグに設けられた貫通孔の内面に付着したナトリウムを気密面を損傷することなく容易に除去することができる。
【発明を実施するための最良の形態】
【００１７】
以下、本発明に係る貫通孔内ナトリウム除去装置及びその方法の実施の形態について、図面を参照して説明する。ここで、同一又は類似の部分には共通の符号を付すことにより、重複説明を省略する。
【００１８】
図１は、本発明の実施の形態の貫通孔内ナトリウム除去装置の構成を示す縦断面図である。
【００１９】
本図に示すように、液体金属ナトリウム冷却型高速炉（ＬＭＦＢＲ）における原子炉容器の上端開口部には、この上端開口部を閉塞するしゃへいプラグが設置されている。このしゃへいプラグは、固定プラグ１及び図６に示す回転プラグ１０１から構成されている。ここでは、固定プラグ１の一部を図示している。この固定プラグ１には、貫通孔の一つである機器貫通孔２が部分的に示す機器６の内側を貫通して設けられている。機器貫通孔２の上部には、床ドアバルブ３が図示しないボルト締めにより固定されている。固定プラグ１の下方にはカバーガス空間４が、その下方には液状のナトリウム５が充填されている。
【００２０】
この固定プラグ１の床ドアバルブ３の上面には、機器貫通孔２内に付着した液状のナトリウム５を除去するために貫通孔内ナトリウム除去装置１０が設置されている。この貫通孔内ナトリウム除去装置１０は、床ドアバルブ３上に設置される収納容器１１と、この収納容器１１の上部から軸封部８を気密に挿通して上記機器貫通孔２内まで延びている案内管１３とを有している。
【００２１】
案内管１３の上端部には操作部１４が接続されており、この操作部１４は吊り耳９を介して吊り具１８に接続している。この案内管１３の下部には、ナトリウム除去部１２が、脱着可能に連結している。案内管１３の上部側面には、アルゴンガス供給パイプ１５が接続されており、弁１６を介してアルゴンガスボンベ１７に接続されている。
【００２２】
ここで、ナトリウム除去部１２の構造について説明する。図２は、図１のナトリウム除去部１２を拡大して示す縦断面図である。
【００２３】
図２において、ナトリウム除去部１２の加熱除去清掃状態の例を示している。
【００２４】
洗浄アタッチメント２３を使用したナトリウム除去部１２は、案内管１３の下端に図示しないボルトで取替自在に固定されている。すなわち、案内管１３内に挿通された操作軸２１は、リンク機構２２を介して洗浄アタッチメント２３に接続されている。この洗浄アタッチメント２３には、ヒータ及び熱電対２４が取り付けられている。この熱電対２４ｂで温度を監視しながらヒータ２４ａにより洗浄アタッチメント２３が加熱される。この洗浄アタッチメント２３は、機器貫通孔２の内側面に対面する側に図示しないボルト締結により取替自在に取り付けられている。
【００２５】
洗浄アタッチメント２３上部には、アルゴンガス噴射ノズル２５が配置されている。このアルゴンガス噴射ノズル２５は、案内管１３の上部側面の図１に示すアルゴンガス供給パイプ１５に接続している。
【００２６】
操作軸２１の下部には内視鏡２６が内蔵されている。この内視鏡２６は、ナトリウム除去部１２の操作軸２１の下端部に設けられ下方向を観察する直視型レンズ２６ａを有する。また、操作軸２１の下部側面に設けられ側面方向を観察する側視型レンズ２６ｂを有する。また、内視鏡２６上部は、気密性を保持した状態で操作軸２１に固定されている。この内視鏡２６は、図１に示す操作部１４において着脱可能なコネクタを介して図示しないモニター装置及び光源装置に接続される。
【００２７】
また、操作軸２１は、操作部１４の調整ハンドル２０を回転することによって上下駆動する。この操作軸２１の上下駆動によってリンク機構２２を揺動させ、洗浄アタッチメント２３を機器貫通孔２の径方向に出し入れさせて機器貫通孔２の内側面に接触させる構成となっている。
【００２８】
次に、洗浄アタッチメント２３の洗浄面３０について説明する。
【００２９】
図３は、図２の洗浄アタッチメント２３の洗浄面３０にメッシュ２７を取り付けた例を拡大して示す斜視図であり、図４は、図２の洗浄アタッチメント２３の洗浄面３０に横スリット２８を加工した例を拡大して示す斜視図であり、図５は、図２の洗浄アタッチメント２３の洗浄面３０に縦スリット２９を加工した例を拡大して示す斜視図である。
【００３０】
図３において、洗浄アタッチメント２３の洗浄面３０は、機器貫通孔２の内側面に対面する側に設けられている。この洗浄アタッチメント２３の洗浄面３０に、一例としてメッシュ２７が取り付けられている。
【００３１】
同様に、図４において、洗浄アタッチメント２３の洗浄面３０は、機器貫通孔２の内側面に対面する側に設けられている。この洗浄アタッチメント２３の洗浄面３０に、横スリット２８が加工されている。横スリット２８が加工された洗浄アタッチメント２３は、主に、仕上げ前のおおよその除去清掃に用いられる。また、図５において、この洗浄アタッチメント２３の洗浄面３０に、縦スリット２９が加工されている。縦スリット２９が加工された洗浄アタッチメント２３やメッシュ２７が取り付けられた洗浄アタッチメント２３は、主に、仕上げ除去清掃に用いられる。
【００３２】
このように構成された本実施の形態において、機器貫通孔２を介して保守点検をするときには、まず、貫通孔内ナトリウム除去装置１０の収納容器１１が床ドアバルブ３上にボルトで設置される。ナトリウム除去部１２が収納容器１１の内部に位置するように設置し、この収納容器１１の内部がガス置換される。
【００３３】
次に、床ドアバルブ３を開放した後に、吊り具１８を介して図示しない建屋クレーン又はチェーンブロック等の揚重機により、ナトリウム除去部１２は、機器貫通孔２内において昇降操作される。この操作により、ナトリウム除去部１２を気密性を保持できる気密面の位置まで移動し位置決めする。
【００３４】
ここで、図４の横スリット２８が加工された洗浄アタッチメント２３を使用するときは、洗浄アタッチメント２３は熱電対２４ｂにより温度監視しながらヒータ２４ａで加熱される。この加熱の後で、操作部１４の調整ハンドル２０を回転することによって操作軸２１を上下駆動させる。この操作軸２１の上下駆動によって、リンク機構２２を揺動させて、洗浄アタッチメント２３を水平方向に移動させ機器貫通孔２の内側面に洗浄アタッチメント２３を軽く接触させる。しかる後に、吊り具１８を介して、図示しない建屋クレーン又はチェーンブロック等の揚重機によりナトリウム除去装置１０全体を上下駆動させる。この洗浄アタッチメント２３を上下駆動させることにより、機器貫通孔２の内側面に付着したナトリウム５は除去清掃される。上述のように、横スリット２８が加工された洗浄アタッチメント２３は、機器貫通孔２の内径寸法に軽く接触する程度に合わせた状態で、上下駆動させることによって、横スリット２８の角部を利用して、ナトリウム５を除去清掃することができる。
【００３５】
次に、図５の縦スリット２９が加工された洗浄アタッチメント２３又は図３のメッシュ２７が取り付けられた洗浄アタッチメント２３を使用するときは、洗浄アタッチメント２３は熱電対２４ｂにより温度監視されながらヒータ２４ａで加熱される。この加熱の後で、操作部１４の調整ハンドル２０によって操作軸２１を上下駆動させる。この操作軸２１の上下駆動によって、リンク機構２２を揺動させて、洗浄アタッチメント２３を水平方向に移動させ機器貫通孔２の内側面に洗浄アタッチメント２３を軽く接触させる。しかる後に、操作部１４の回転ハンドル１９によってナトリウム除去部１２を回転駆動させ、機器貫通孔２の内側面に付着したナトリウム５が除去清掃される。
【００３６】
上述のように、縦スリット２９が加工された洗浄アタッチメント２３は、機器貫通孔２の内径寸法に軽く接触する程度に合わせた状態で、回転駆動することによって縦スリット２９の角部を用いて、粘性の低い状態になったナトリウム５を除去清掃することができる。また、メッシュ２７が取り付けられた洗浄アタッチメント２３を用いる場合は、機器貫通孔２の内径寸法に軽く接触する程度にあわせた状態で、回転駆動及び上下駆動させることによって、メッシュ２７でナトリウム５を除去清掃することができる。
【００３７】
かくして、機器貫通孔２に付着したナトリウム５は、パウダー状に付着している場合、酸化ナトリウムとなって固く固着している場合、グリース状に粘度を保って付着している場合、いずれにおいても加熱した洗浄アタッチメント２３によって加熱されるため、粘性の低い柔らかい状態のナトリウム５になり溶融して流れ落ち易くなり、ナトリウム５を除去清掃することができる。
【００３８】
なお、機器貫通孔２の内面寸法または形状が変わっても、上記操作により洗浄アタッチメント２３を容易に径方向に出し入れできるために、ナトリウム除去部１２の取り替え等は不要である。
【００３９】
このとき、洗浄アタッチメント２３の上部には、アルゴンガス噴射ノズル２５が配置されているために、弁１６を開放することにより、加熱されて粘性の低い柔らかい状態になっているナトリウム５にアルゴンガスを噴射して、付着ナトリウム５を吹き飛ばすこともできる。
【００４０】
また直視型レンズ２６ａ及び側視型レンズ２６ｂの視野方向の異なったレンズを具備した内視鏡２６がナトリウム除去部１２の下端部に配置されている。この内視鏡２６を用いて、機器貫通孔２内の付着ナトリウム５の状態及びナトリウム５の除去作業を観察することができる。機器貫通孔２の内部の広範囲を観察しながら、機器貫通孔２内に付着したナトリウム５を観察しながら容易に除去できるために、気密性、機器の通過性、据付性を良好に維持することができる。
【００４１】
本実施の形態によれば、下記の四つの効果を奏することができる。
【００４２】
（１）ヒータ２４ａで加熱した洗浄アタッチメント２３を用いることにより、しゃへいプラグ等に設けられた機器貫通孔２の内面に付着したナトリウム５を気密面を損傷することなく容易に除去することができる。
【００４３】
（２）また、アルゴンガス噴射ノズル２５で機器貫通孔２の内面に付着したナトリウム５を吹き飛ばすこともできる。
【００４４】
（３）さらに、直視型レンズ２６ａと側視型レンズ２６ｂの視野方向の異なったレンズを具備した内視鏡２６で機器貫通孔２の内面に付着したナトリウム５の付着状態及び除去清掃状態を観察できるので、付着したナトリウム５に関連する保守点検作業を効率的に行うことができる。
【００４５】
（４）また、機器貫通孔２の内面に付着したナトリウム５を効率的に除去清掃できるので、原子炉上部の作業時間を短縮できることから、作業員の放射線被曝防止上の観点からも著しい効果を有する。
【００４６】
図６は、本発明の他の実施の形態の貫通孔内ナトリウム除去装置の構成を示す縦断面図である。本図は、図１の貫通孔内ナトリウム除去装置１０を機器貫通孔２の上部に設ける代わりに、制御棒駆動機構貫通孔１０５の上部に設けるもので、図１と同一又は類似の部分には共通の符号を付すことにより、重複説明を省略する。
【００４７】
本図に示すように、液体金属ナトリウム冷却型高速炉（ＬＭＦＢＲ）における原子炉容器の上端開口部には、この上端開口部を閉塞するしゃへいプラグが設置されている。このしゃへいプラグは、図１に示す固定プラグ１及び回転プラグ１０１から構成されている。ここでは、回転プラグ１０１の一部を図示している。この回転プラグ１０１には、炉心上部機構１０２が搭載されている。この炉心上部機構１０２には、制御棒駆動機構貫通孔１０５が設けられている。この制御棒駆動機構貫通孔１０５は、機器（部分的に示す）６の内側を貫通している。また、炉心上部機構１０２の上部には炉上部ピット蓋１０３が設置されている。
【００４８】
この制御棒駆動機構貫通孔１０５の上部には、接続筒１０４が設けられ、炉上部ピット蓋１０３に接続されている。炉上部ピット蓋１０３の上部には、床ドアバルブ３が図示しないボルト締めにより固定されている。回転プラグ１０１の下方には、図１に示す固定プラグ１と同様に、カバーガス空間４が、その下方には液状のナトリウム５が充填されている。
【００４９】
この回転プラグ１０１に搭載された炉上部ピット蓋１０３に設置された床ドアバルブ３の上部には、制御棒駆動機構貫通孔１０５内に付着した液状のナトリウム５を除去するために貫通孔内ナトリウム除去装置１０が設置されている。この貫通孔内ナトリウム除去装置１０は、床ドアバルブ３上に設置される収納容器１１と、この収納容器１１の上部から軸封部８を気密に挿通して上記機器貫通孔２内まで延びている案内管１３とを有している。
【００５０】
このように構成された本実施の形態において貫通孔内のナトリウム除去装置１０において、制御棒駆動機構貫通孔１０５を介して保守点検等をするときには、まず、貫通孔内ナトリウム除去装置１０の収納容器１１が床ドアバルブ３上にボルトで設置される。ナトリウム除去部１２が収納容器１１の内部に位置するように設置し、収納容器１１の内部がガス置換される。
【００５１】
次に、床ドアバルブ３を開放した後に、吊り具１８を介して図示しない建屋クレーン又はチェーンブロック等の揚重機により、ナトリウム除去部１２は、制御棒駆動機構貫通孔１０５内において昇降操作される。この操作により、ナトリウム除去部１２を気密性を保持できる気密面の位置まで移動し位置決めする。
【００５２】
ここで、横スリット２８が加工された洗浄アタッチメント２３を使用するときは、図２に示すように、洗浄アタッチメント２３を熱電対２４ｂにより温度監視しながらヒータ２４ａで加熱した後に、操作部１４の調整ハンドル２０を回転することによって操作軸２１を上下駆動させる。この操作軸２１の上下駆動によって、リンク機構２２を揺動させて、洗浄アタッチメント２３を水平方向に移動させ制御棒駆動機構貫通孔１０５の内側面に洗浄アタッチメント２３を軽く接触させる。しかる後に、吊り具１８を介して、建屋クレーン又はチェーンブロック等の揚重機によりナトリウム除去装置１０全体を上下駆動させる。この洗浄アタッチメント２３を上下駆動させることにより、機器貫通孔２の内側面に付着したナトリウムは除去清掃される。
【００５３】
次に、縦スリット２９が加工された洗浄アタッチメント２３又はメッシュ２７が取り付けられた洗浄アタッチメント２３を使用するときは、図２に示すように、洗浄アタッチメント２３は熱電対２４ｂにより温度監視されながらヒータ２４ａで加熱される。この加熱の後で、操作部１４の調整ハンドル２０によって操作軸２１を上下駆動させる。この操作軸２１の上下駆動によって、リンク機構２２を揺動させて、洗浄アタッチメント２３を水平方向に移動させ制御棒駆動機構貫通孔１０５の内側面に洗浄アタッチメント２３を軽く接触させる。しかる後に、操作部１４の回転ハンドル１９によってナトリウム除去部１２を回転駆動させ、機器貫通孔２の内側面に付着したナトリウム５が除去清掃される。
【００５４】
本実施の形態によれば、下記の四つの効果を奏することができる。
【００５５】
（１）ヒータ２４ａで加熱した洗浄アタッチメント２３を用いることにより、回転プラグ１０１に搭載された炉心上部機構１０２に設けられた制御棒駆動機構貫通孔１０５の内面に付着したナトリウム５を気密面を損傷することなく容易に除去することができる。
【００５６】
（２）また、アルゴンガス噴射ノズル２５で制御棒駆動機構貫通孔１０５の内面に付着したナトリウム５を吹き飛ばすこともできる。
【００５７】
（３）さらに、直視型レンズ２６ａと側視型レンズ２６ｂの視野方向の異なったレンズを具備した内視鏡２６で制御棒駆動機構貫通孔１０５の内面に付着したナトリウム５の付着状態及び除去清掃状態を観察できるので、付着したナトリウムに関連する保守点検作業を効率的に行うことができる。
【００５８】
（４）また、制御棒駆動機構貫通孔１０５の内面に付着したナトリウム５を効率的に除去清掃することにより、原子炉上部の作業時間を短縮できることから、作業員の放射線被曝防止上の観点からも著しい効果を有する。
【００５９】
さらに、本発明は、上述したような各実施の形態に何ら限定されるものではなく、本発明の各実施例を組み合わせて、本発明の主旨を逸脱しない範囲で種々変形して実施することができる。
【図面の簡単な説明】
【００６０】
【図１】本発明の実施の形態の貫通孔内ナトリウム除去装置の構成を示す縦断面図。
【図２】図１のナトリウム除去部を拡大して示す縦断面図。
【図３】図２の洗浄アタッチメントの洗浄面にメッシュを取り付けた例を拡大して示す斜視図。
【図４】図２の洗浄アタッチメントの洗浄面に横スリットを加工した例を拡大して示す斜視図。
【図５】図２の洗浄アタッチメントの洗浄面に縦スリットを加工した例を拡大して示す斜視図。
【図６】本発明の他の実施の形態の貫通孔内ナトリウム除去装置の構成を示す縦断面図。
【符号の説明】
【００６１】
１…固定プラグ、２…機器貫通孔、３…床ドアバルブ、４…カバーガス空間、５…ナトリウム、６…機器、８…軸封部、９…吊り耳、１０…貫通孔内ナトリウム除去装置、１１…収納容器、１２…ナトリウム除去部、１３…案内管、１４…操作部、１５…アルゴンガス供給パイプ、１６…弁、１７…アルゴンガスボンべ、１８…吊り具、１９…回転ハンドル、２０…調整ハンドル、２１…操作軸、２２…リンク機構、２３…洗浄アタッチメント、２４…ヒータ及び熱電対、２４ａ…ヒータ、２４ｂ…熱電対、２５…アルゴンガス噴射ノズル、２６…内視鏡、２６ａ…直視型レンズ、２６ｂ…側視型レンズ、２７…メッシュ、２８…横スリット、２９…縦スリット、１０１…回転プラグ、１０２…炉心上部機構、１０３…炉上部ピット蓋、１０４…接続筒、１０５…制御棒駆動機構貫通孔。
【図１】
2008196864.tif 000003
【図２】
2008196864.tif 000004
【図３】
2008196864.tif 000005
【図４】
2008196864.tif 000006
【図５】
2008196864.tif 000007
【図６】
2008196864.tif 000008